(57)【要約】【課題】本発明は、従来にない作用効果を発揮する画期的な雪滑りプレート及び屋根の雪下ろし方法を提供することを目的とするものである。【解決手段】屋根30に積もった雪Ｓ上に載置され上面に雪滑り部１ａが設けられた雪下ろし用の雪滑りプレート１であって、前記雪滑りプレート１は、繊維強化樹脂製であり、下面には滑り止め突部２が設けられ、更に、前記雪滑り部１ａの左右端部夫々には壁部３，４が設けられ、この雪滑り部１ａは左右端部１ａ'，１ａ”同士の間隔Ｌ１が前後端部１ｂ，１ｃ同士の間隔Ｌ２よりも長い横長形状に設定されたものである。【選択図】図１
2013217076.tif 000002
【特許請求の範囲】
【請求項１】
屋根に積もった雪上に載置され上面に雪滑り部が設けられた雪下ろし用の雪滑りプレートであって、前記雪滑りプレートは、繊維強化樹脂製であり、下面には滑り止め突部が設けられ、更に、前記雪滑り部の左右端部夫々には壁部が設けられ、この雪滑り部は左右端部同士の間隔が前後端部同士の間隔よりも長い横長形状に設定されていることを特徴とする雪滑りプレート。
【請求項２】
請求項１記載の雪滑りプレートにおいて、前記滑り止め突部は前記雪滑りプレートの前後方向に複数並設され、この滑り止め突部のうち少なくとも一つは前記壁部に連設されていることを特徴とする雪滑りプレート。
【請求項３】
請求項１，２いずれか１項に記載の雪滑りプレートにおいて、前記滑り止め突部は前記雪滑りプレートの左右方向に長さを有する補強リブであることを特徴とする雪滑りプレート。
【請求項４】
請求項１〜３いずれか１項に記載の雪滑りプレートにおいて、前記雪滑り部の前後端部同士の間隔は６０ｃｍ〜９０ｃｍに設定されていることを特徴とする雪滑りプレート。
【請求項５】
請求項１〜４いずれか１項に記載の雪滑りプレートにおいて、前記雪滑り部の左右端部同士の間隔は、前記前後端部同士の間隔の約２倍程度に設定されていることを特徴とする雪滑りプレート。
【請求項６】
請求項１〜５いずれか１項に記載の雪滑りプレートにおいて、前記滑り止め突部及び前記壁部は、前記雪滑りプレートに一体成形されていることを特徴とする雪滑りプレート。
【請求項７】
請求項１〜６いずれか１項に記載の雪滑りプレートを用いた屋根の雪下ろし方法であって、前記屋根の軒先縁部近傍部位に積もった雪を下ろし、この雪を下ろした軒先縁部近傍部位に前記雪滑りプレートを、この雪滑りプレートの前端部が前記屋根の軒先縁部とほぼ平行状態となるように配置し、続いて、前記雪滑りプレートの後端部側から除雪具を用いて前記雪滑り部に雪を載せ滑り落下させることを特徴とする屋根の雪下ろし方法。
【請求項８】
請求項７記載の屋根の雪下ろし方法において、前記雪滑りプレートにより該雪滑りプレートの後方側の前記屋根に積もった雪を滑り落下させた後、前記雪滑りプレートの側方位置の軒先縁部近傍部位に積もった雪を下ろし、この雪を下ろした軒先縁部近傍部位に前記雪滑りプレートを移動させ、この移動後の雪滑りプレートに、この雪滑りプレートの後方側の屋根に積もった雪を滑り落下させ、順次前記雪滑りプレートを側方に移動させて屋根に積もった雪を下ろすことを特徴とする屋根の雪下ろし方法。
【請求項９】
請求項７，８いずれか１項に記載の屋根の雪下ろし方法において、前記屋根上にして軒先縁部近傍部位に配置した前記雪滑りプレートの後端部に、他の雪滑りプレートの前端部を連設し、これらの雪滑りプレートに雪を載せ滑り落下させることを特徴とする屋根の雪下ろし方法。
【発明の詳細な説明】
【技術分野】
【０００１】
本発明は、雪滑りプレート及び屋根の雪下ろし方法に関するものである。
【背景技術】
【０００２】
近年の大雪に伴い屋根の雪下ろし時における落下事故が増えている。
【０００３】
この落下事故は、屋根の軒先縁部にせり出した雪庇により軒先縁部の位置が分からずに足を踏み外して落下してしまう場合の他、除雪具で掬った雪を屋根の軒先縁部まで近付いて投げる際、雪で足を滑らせて転倒し、そのまま落下してしまう場合が多い。
【０００４】
そこで、従来、屋根の雪下ろしを行う際に使用する樋（以下、従来例）が提案されている。
【０００５】
この従来例は、上面に雪滑り部を設けた木製の長尺板であり、左右端部には壁部が設けられている。使用の際には、傾斜する屋根上（雪上）に配置し、除雪具（例えばスコップ）を用いて雪滑り部に雪を載せて滑らせるだけで屋根から雪を落下させる（下ろす）ことができる。
【０００６】
従って、従来例を使用すれば屋根の軒先縁部まで近付かずに雪を屋根から落下させることができ、それだけ作業者の落下リスクは低減される。
【発明の概要】
【発明が解決しようとする課題】
【０００７】
しかしながら、従来例には、実際の使用場面において次の問題点がある。
【０００８】
即ち、スコップのような小型の掬い部に載せた雪を持ち上げて移動するタイプの除雪具と異なり、スノーダンプ（商標登録）のような大型の掬い部に載せた雪を押して移動するタイプの除雪具（以下、押し移動タイプの除雪具）の場合、従来例は左右端部に壁部があるため雪滑り部へ雪を載せる際には後端部（開口端部）から投入することになるが、従来例は長尺（一般的には縦長約３６０ｃｍ，横長約４．５ｃｍ）であり、よって、屋根上に配置した際、後端部は屋根の斜面上方位置に配されることになる為、押し移動タイプの除雪具で従来例を使用する場合は、結局、屋根の斜面上方位置の雪の処理のみにしか従来例は使用できない（その他の部分の雪は従来例を使用せず、除雪具を用いて雪を落下させる。）。
【０００９】
従って、押し移動タイプの除雪具は一度に多くの雪を移動できるため作業性は良いが、従来例を使用するとその機能を十分に発揮できず、結局、押し移動タイプの除雪具で雪下ろしをする際には、従来例は使用しない場合が多い。
【００１０】
つまり、この押し移動タイプの除雪具は、掬い部に多量の雪を載せた状態で投げることになるため、それだけ大きな遠心力がかかるにもかかわらず、多くの作業者はこの押し移動タイプの除雪具を用いて屋根の軒先縁部まで近付いて雪を屋根から落下させており、よって、落下事故が起きているのである。
【００１１】
しかも、従来例は、木製の長尺体であり重量があって嵩張る為、屋根へ上げたり屋根から下ろしたりするのが困難であり、また、屋根上での移動も困難であり、よって、作業効率が悪くて作業時間が長くなってしまい、しかも、この従来例の移動だけで余計に体力を消耗してしまう。
【００１２】
また、従来例は、木製故に衝撃を受けることによる破損や腐食するなど耐久性にも問題がある。
【００１３】
本発明は、前述した問題点を解消するもので、従来にない作用効果を発揮する画期的な雪滑りプレート及び屋根の雪下ろし方法を提供するものである。
【課題を解決するための手段】
【００１４】
添付図面を参照して本発明の要旨を説明する。
【００１５】
屋根30に積もった雪Ｓ上に載置され上面に雪滑り部１ａが設けられた雪下ろし用の雪滑りプレート１であって、前記雪滑りプレート１は、繊維強化樹脂製であり、下面には滑り止め突部２が設けられ、更に、前記雪滑り部１ａの左右端部夫々には壁部３，４が設けられ、この雪滑り部１ａは左右端部１ａ'，１ａ”同士の間隔Ｌ１が前後端部１ｂ，１ｃ同士の間隔Ｌ２よりも長い横長形状に設定されていることを特徴とする雪滑りプレートに係るものである。
【００１６】
また、請求項１記載の雪滑りプレートにおいて、前記滑り止め突部２は前記雪滑りプレート１の前後方向に複数並設され、この滑り止め突部２のうち少なくとも一つは前記壁部３，４に連設されていることを特徴とする雪滑りプレートに係るものである。
【００１７】
また、請求項１，２いずれか１項に記載の雪滑りプレートにおいて、前記滑り止め突部２は前記雪滑りプレート１の左右方向に長さを有する補強リブであることを特徴とする雪滑りプレートに係るものである。
【００１８】
また、請求項１〜３いずれか１項に記載の雪滑りプレートにおいて、前記雪滑り部１ａの前後端部１ｂ，１ｃ同士の間隔Ｌ２は６０ｃｍ〜９０ｃｍに設定されていることを特徴とする雪滑りプレートに係るものである。
【００１９】
また、請求項１〜４いずれか１項に記載の雪滑りプレートにおいて、前記雪滑り部１ａの左右端部１ａ'，１ａ”同士の間隔Ｌ１は、前記前後端部１ｂ，１ｃ同士の間隔Ｌ２の約２倍程度に設定されていることを特徴とする雪滑りプレートに係るものである。
【００２０】
また、請求項１〜５いずれか１項に記載の雪滑りプレートにおいて、前記滑り止め突部２及び前記壁部３，４は、前記雪滑りプレート１に一体成形されていることを特徴とする雪滑りプレートに係るものである。
【００２１】
また、請求項１〜６いずれか１項に記載の雪滑りプレートを用いた屋根の雪下ろし方法であって、前記屋根30の軒先縁部近傍部位30Ａに積もった雪Ｓを下ろし、この雪Ｓを下ろした軒先縁部近傍部位30Ａに前記雪滑りプレート１を、この雪滑りプレート１の前端部が前記屋根30の軒先縁部30ａとほぼ平行状態となるように配置し、続いて、前記雪滑りプレート１の後端部側から除雪具35を用いて前記雪滑り部１ａに雪Ｓを載せ滑り落下させることを特徴とする屋根の雪下ろし方法に係るものである。
【００２２】
また、請求項７記載の屋根の雪下ろし方法において、前記雪滑りプレート１により該雪滑りプレート１の後方側の前記屋根30に積もった雪Ｓを滑り落下させた後、前記雪滑りプレート１の側方位置の軒先縁部近傍部位30Ａに積もった雪Ｓを下ろし、この雪Ｓを下ろした軒先縁部近傍部位30Ａに前記雪滑りプレート１を移動させ、この移動後の雪滑りプレート１に、この雪滑りプレート１の後方側の屋根30に積もった雪Ｓを滑り落下させ、順次前記雪滑りプレート１を側方に移動させて屋根30に積もった雪Ｓを下ろすことを特徴とする屋根の雪下ろし方法に係るものである。
【００２３】
また、請求項７，８いずれか１項に記載の屋根の雪下ろし方法において、前記屋根30上にして軒先縁部近傍部位30Ａに配置した前記雪滑りプレート１の後端部に、他の雪滑りプレート11の前端部を連設し、これらの雪滑りプレート１，11に雪Ｓを載せ滑り落下させることを特徴とする屋根の雪下ろし方法に係るものである。
【発明の効果】
【００２４】
本発明は上述のように構成したから、前述した従来例に比し、例えば押し移動タイプの除雪具を用いて屋根上の広範囲の雪を屋根から落下させることができ、ひいては作業時間を飛躍的に短縮することができ、しかも、軽量であるから持ち運びが楽に行え、移動に伴う作業者の負担を可及的に低減することができ、そして更に、耐久性に秀れるなど、従来にない作用効果を発揮する画期的な雪滑りプレート及び屋根の雪下ろし方法となる。
【図面の簡単な説明】
【００２５】
【図１】実施例１を示す斜視図である。
【図２】実施例１を示す斜視図である。
【図３】実施例１に係る屋根の雪下ろし方法の説明図である。
【図４】実施例１に係る屋根の雪下ろし方法の説明図である。
【図５】実施例１に係る屋根の雪下ろし方法の説明図である。
【図６】実施例２に係る屋根の雪下ろし方法の説明図である。
【図７】実施例２に係る別の雪滑りプレートの説明図である。
【発明を実施するための形態】
【００２６】
好適と考える本発明の実施形態を、図面に基づいて本発明の作用を示して簡単に説明する。
【００２７】
例えば、本発明に係る雪滑りプレート１と、押し移動タイプの除雪具35を用いて屋根30の雪下ろしをする場合、まず、屋根30の軒先縁部近傍部位30Ａに積もった雪Ｓを下ろし、この雪Ｓを下ろした軒先縁部近傍部位30Ａに雪滑りプレート１を、該雪滑りプレート１の前端部が屋根30の軒先縁部30ａにほぼ平行状態となるように当該屋根30上の軒先縁部近傍部位30Ａに配置し、この雪滑りプレート１の後方側にある雪Ｓを押し移動タイプの除雪具35を用いて移動させ、この押し移動タイプの除雪具35を用いて移動させた雪Ｓを雪滑りプレート１の後端部側から雪滑り部１ａに載せると、雪滑り部１ａを滑った雪Ｓは雪滑りプレート１の前端部から排出され屋根30から落下する。
【００２８】
また、必要に応じて、雪滑りプレート１の側方位置の軒先縁部近傍部位30Ａに積もった雪Ｓを下ろし、この雪Ｓを下ろした軒先縁部近傍部位30Ａに雪滑りプレート１を移動させ、この移動後の雪滑りプレート１に、この雪滑りプレート１の後方側の屋根30に積もった雪Ｓを滑り落下させ、順次雪滑りプレート１を側方に移動させて屋根30に積もった雪Ｓを下ろす。
【００２９】
ところで、本発明は、前述した従来例と異なり、雪滑り部１ａは左右端部１ａ'，１ａ”同士の間隔Ｌ１が前後端部１ｂ，１ｃ同士の間隔Ｌ２よりも長い横長形状に設定されており、即ち、雪滑り部１ａの前後端部１ｂ，１ｃの間隔Ｌ２を短尺とする、屋根の傾斜方向でなく、巾方向に長さを求めた構造であるから、雪滑りプレート１を、該雪滑りプレート１の前端部が屋根30の軒先縁部30ａにほぼ平行状態となるように当該屋根30上の軒先縁部近傍部位30Ａに配置した際、後端部は屋根30の斜面上方位置には配されず、よって、屋根30の斜面下方位置の雪Ｓも雪滑りプレート１で滑り落下させることができるから、屋根30上のほぼ全域の雪Ｓを、押し移動タイプの除雪具35を用いて雪滑り部１ａに載せることができる。
【００３０】
従って、作業者は、例えば押し移動タイプの除雪具35であっても、軒先縁部30ａに近付き過ぎずに安全且つ簡易に屋根から雪Ｓを落下させることができ、ひいては、作業者は安心して雪下ろしが行え、この安心感は作業時間を飛躍的に短縮することにもつながる。
【００３１】
また、本発明に係る雪滑りプレート１は繊維強化樹脂製であり、且つ、コンパクトな構造であるから、軽量であるから持ち運びが楽に行え、移動に伴う作業者の負担を可及的に低減することができ、この点においても作業時間を短縮することができ、更に、耐久性に秀れる。
【実施例１】
【００３２】
本発明の具体的な実施例１について図面に基づいて説明する。
【００３３】
本実施例は、雪下ろし用の雪滑りプレート１である。
【００３４】
具体的には、雪滑りプレート１は、図１，２に図示したように繊維織物（ガラス繊維やカーボン繊維）と樹脂（エポキシ樹脂）とから成るＦＲＰ（繊維強化樹脂）製の方形板状体であり、型により一体成形され、その厚みは約５ｍｍに設定されている。尚、滑りプレート１は単なる合成樹脂製でも良く、また、繊維強化樹脂を構成する樹脂は熱硬化性樹脂でも熱可塑性樹脂でも良い。
【００３５】
また、雪滑りプレート１の上面には雪滑り部１ａが設けられ、この雪滑り部１ａの左右端部１ａ'，１ａ”夫々にして雪滑りプレート１の前後方向の全長にわたり、凸条から成る壁部３，４（高さ６ｃｍ）が一体成形により設けられている。
【００３６】
尚、この壁部３，４は雪滑りプレート１の下面には突出しておらず、後述する滑り止め突部２のみが突出するように構成されている。
【００３７】
また、雪滑りプレート１は、壁部３，４同士（内面同士）の間隔にして雪滑り部１ａの左右端部１ａ'，１ａ”の間隔Ｌ１が雪滑り部１ａの前後端部１ｂ，１ｃ同士の間隔Ｌ２よりも長い横長形状（長方形状）に設定されている。
【００３８】
この雪滑り部１ａの前後端部１ｂ，１ｃ同士の間隔Ｌ２は６０ｃｍ〜９０ｃｍが望ましく、一方、左右端部１ａ'，１ａ”同士の間隔Ｌ１は、前後端部１ｂ，１ｃ同士の間隔Ｌ２の約２倍程度が望ましい。
【００３９】
具体的には、本実施例では、雪滑り部１ａの前後端部１ｂ，１ｃ同士の間隔Ｌ２は６８ｃｍに設定され、一方、左右端部１ａ'，１ａ”同士の間隔Ｌ１は１６５ｃｍに設定されている。
【００４０】
この雪滑り部１ａの前後端部１ｂ，１ｃ同士の間隔Ｌ２は、軒先縁部30ａと該軒先縁部30ａから最も近い位置に設けられる雪止め金具31との間隔（一般に１００ｃｍ以内と言われる。）よりも短過ぎないことが考慮され、とは言え、雪滑りプレート１を、該雪滑りプレート１の前端部１ｂが屋根30の軒先縁部30ａにほぼ平行状態となるように当該屋根30上の軒先縁部近傍部位30Ａに配置した際、後端部１ｃが屋根30の斜面上方位置に配されないように長過ぎないようにするなど適宜考慮して設定されている。つまり、間隔Ｌ２は主に安全性と使用性を考慮して６０ｃｍ〜９０ｃｍの間で適宜設定されている。
【００４１】
また、雪滑り部１ａの左右端部１ａ'，１ａ”同士の間隔Ｌ１は、持ち運ぶ際や配置移動する際などの移動時に嵩張らないように長過ぎず、且つ、押し移動タイプの除雪具35を用いた際に該押し移動タイプの除雪具35が壁部３，４に衝突しにくい長さ（短過ぎない長さ）、作業し易い間隔となるように適宜考慮して設定されている。つまり、間隔Ｌ１は主に使用性を考慮して適宜設定されている。
【００４２】
また、雪滑りプレート１の下面には滑り止め突部２が設けられている。
【００４３】
この滑り止め突部２は、図２に図示したように雪滑りプレート１の左右方向に長さを有し、且つ、雪滑りプレート１の左右方向の全長にわたって凸条を一体成形したものであり、雪滑りプレート１の前後方向に複数（３本）並設されており、この複数の滑り止め突部２のうち雪滑りプレート１の前端部から垂設される一つの滑り止め突部２は、その左右両端部において壁部３，４に一体に連設されている。
【００４４】
従って、雪滑りプレート１を雪Ｓ上に配した際、雪Ｓに各滑り止め突部２が刺さって雪滑りプレート１の滑落を防止する機能を発揮し、しかも、この各滑り止め突部２は補強リブとしても機能する。特に少なくとも一つの滑り止め突部２を壁部３，４と連設することで強度が飛躍的に向上している。
【００４５】
また、本実施例は、前述したように雪滑りプレート１の下面には滑り止め突部２しか突起物はなく、しかも、この滑り止め突部２が雪滑りプレート１の左右方向に長さを有する構造であるから、雪滑りプレート１を屋根30の巾方向（雪滑りプレート１の左右方向）に移動させる際には摩擦抵抗が少なく良好に移動させることができる。
【００４６】
以上の構成から成る本実施例に係る雪滑りプレート１を使用した屋根の雪下ろし方法について説明する。尚、本実施例では、雪滑りプレート１を押し移動タイプの除雪具35を用いて屋根の雪下ろしをする場合である。符号Ｓは雪、Ｓ１は雪庇である。
【００４７】
まず、作業者は梯子36を用いるなどして屋根30に上がり、屋根30の縁（軒先縁部30ａや傾斜側縁）の位置を確認しながら、屋根30上の軒先縁部近傍部位30Ａの雪Ｓを除去して雪滑りプレート１を配置するスペースを設ける。この雪滑りプレート１を配置するスペースは勿論、雪下ろしを行う場合は、屋根30表面から所定深さ（２０ｃｍ程度）の雪Ｓを残した状態で除去し、屋根表面を露出させることはしない（屋根表面は滑るからである。）。
【００４８】
続いて、雪滑りプレート１を、該雪滑りプレート１の前端部が屋根30の軒先縁部30ａにほぼ平行状態となるように当該屋根30上の軒先縁部近傍部位30Ａに配置する。この際、滑り止め突部２が屋根30上の雪Ｓに刺さり、雪滑りプレート１は屋根30の傾斜方向に対して滑り止め状態となる。
【００４９】
続いて、雪滑りプレート１の後方側（上方付近）にある雪Ｓを押し移動タイプの除雪具35を用いて移動させ、この押し移動タイプの除雪具35を用いて移動させた雪Ｓを雪滑りプレート１の後端部側から雪滑り部１ａに載せると、雪滑り部１ａを滑った雪Ｓは雪滑りプレート１の前端部から排出され屋根30から落下する（図３参照）。
【００５０】
続いて、屋根30の幅が広い場合、雪滑りプレート１の側方位置の軒先縁部近傍部位30Ａに積もった雪Ｓを下ろして該雪滑りプレート１を配置するスペースを設け、このスペース（雪Ｓを下ろした軒先縁部近傍部位30Ａ）に雪滑りプレート１を移動させ、この移動後の雪滑りプレート１に、この雪滑りプレート１の後方側の屋根30に積もった雪Ｓを載せて滑り落下させ（図４参照）、順次雪滑りプレート１を側方に移動させて屋根30に積もった雪Ｓを下ろす。
【００５１】
本実施例は上述のように構成したから、例えば押し移動タイプの除雪具35を用いて屋根30上の広範囲の雪Ｓを屋根30から落下させることができ、ひいては作業時間を飛躍的に短縮することができる。
【００５２】
また、本実施例に係る雪滑りプレート１は繊維強化樹脂製（ＦＲＰ製）であり、且つ、コンパクトな構造であるから、軽量であるから持ち運びが楽に行え、移動に伴う作業者の負担を可及的に低減することができ、この点においても作業時間を短縮することができ、更に、極めて耐久性に秀れる。
【実施例２】
【００５３】
本発明の具体的な実施例２について図面に基づいて説明する。
【００５４】
本実施例は、図６に図示したように屋根30上にして軒先縁部近傍部位30Ａに配置した雪滑りプレート１の後端部に、他の雪滑りプレート11の前端部を重合状態で連設して行う屋根30の雪下ろし方法である。
【００５５】
この雪滑りプレート11は、図６に図示したように繊維織物（ガラス繊維やカーボン繊維）と樹脂（エポキシ樹脂）とから成るＦＲＰ（繊維強化樹脂）製の方形板状体であり、型により一体成形され、その厚みは約５ｍｍに設定されている。
【００５６】
また、雪滑りプレート11の上面には雪滑り部11ａが設けられ、この雪滑り部11ａの左右端部夫々に凸条から成る壁部13，14（高さ６ｃｍ）が一体成形により設けられている。
【００５７】
尚、この壁部13，14は雪滑りプレート11の下面には突出しておらず、後述する滑り止め突部のみが突出するように構成されている。
【００５８】
また、雪滑りプレート11は、雪滑り部11ａの左右端部11ａ'，11ａ”同士の間隔が雪滑り部11ａの前後端部11ｂ，11ｃ同士の間隔よりも短い縦長形状（長方形状）に設定されている。
【００５９】
本実施例では、雪滑り部11ａの前後端部11ｂ，11ｃ同士の間隔は１８００ｍｍに設定され、左右端部11ｂ，11ｃ同士の間隔は、４５０ｍｍに設定されている。
【００６０】
また、この雪滑りプレート11は、前述した雪滑りプレート１と同様、下面に図示省略の滑り止め突部が設けられている。
【００６１】
また、雪滑りプレート11の後端部は、別の雪滑りプレート11の前端部と連結自在に設けられている。
【００６２】
具体的には、図７に図示したように後端部にして左右の壁部13，14の後端部分には段部13ａ，14ａが設けられている。
【００６３】
従って、屋根30の傾斜に対して下側の雪滑りプレート11の後端部に上側の雪滑りプレート11の前端部を重ね状態で配した際、この上側の雪滑りプレート11の前端部が段部13ａ，14ａに係止連結するように構成されている。
【００６４】
本実施例は上述のように構成したから、雪滑りプレート１と雪滑りプレート11を組み合わせて使用することで、屋根30の斜面上方位置の雪Ｓを下方位置まで移動させなくて良くなり、作業者の移動範囲を狭くして作業負担を軽減することができる。
【００６５】
その余は実施例１と同様のものである。
【００６６】
尚、本発明は、実施例１，２に限られるものではなく、各構成要件の具体的構成は適宜設計し得るものである。
【符号の説明】
【００６７】
Ｌ１  間隔
Ｌ２  間隔
Ｓ  雪
１  雪滑りプレート
１ａ  雪滑り部
１ａ'  左端部
１ａ”  右端部
１ｂ  前端部
１ｃ  後端部
２  滑り止め突部
３  壁部
４  壁部
11  雪滑りプレート
30  屋根
30ａ  軒先縁部
30Ａ  軒先縁部近傍部位
【図１】
2013217076.tif 000003
【図２】
2013217076.tif 000004
【図３】
2013217076.tif 000005
【図４】
2013217076.tif 000006
【図５】
2013217076.tif 000007
【図６】
2013217076.tif 000008
【図７】
2013217076.tif 000009